(57)【要約】【課題】誤読が発生しやすい文字を修正可能且つ信頼性の高い統計データを提供可能な文字認識装置及び文字認識システムを提供する。【解決手段】所定領域を有する帳票に対して、該所定領域に記載された複数の文字を読み取って認識するための文字認識装置に、所定領域において、同一の行に記載された複数の文字それぞれの下辺位置を示す複数のｙ座標を第１ｙ座標として取得するｙ座標取得部と、取得された複数の第１ｙ座標の中それぞれの第１ｙ座標の差を検出し、検出された何れかの差が予め定められた第１ｙ座標差閾値を超えるか否かを判断する判断部と、第１ｙ座標差閾値を超えると判断されると、複数の文字が修正対象であると判断して、該複数の文字の認識結果を修正対象文字として出力する認識部と、出力された修正対象文字と対応させて、該修正対象文字が修正対象であることを示すフラグ情報を付加する付加処理部とを設ける。【選択図】        図１
2007272432.tif 000002
【特許請求の範囲】
【請求項１】
所定領域を有する帳票に対して、該所定領域に記載された複数の文字を読み取って認識するための文字認識装置であって、
前記所定領域において、同一の行に記載された複数の文字それぞれの下辺位置を示す複数のｙ座標を第１ｙ座標として取得するｙ座標取得部と、
取得された前記複数の第１ｙ座標の中それぞれの前記第１ｙ座標の差を検出し、検出された何れかの差が予め定められた第１ｙ座標差閾値を超えるか否かを判断する判断部と、
前記第１ｙ座標差閾値を超えると判断されると、前記複数の文字が修正対象であると判断して、該複数の文字の認識結果を修正対象文字として出力する認識部と、
出力された前記修正対象文字と対応させて、該修正対象文字が修正対象であることを示すフラグ情報を付加する付加処理部と、
を備えることを特徴とする文字認識装置。
【請求項２】
前記判断部により、前記それぞれの差が前記第１ｙ座標差閾値以下であると判断されると、前記ｙ座標取得部は、更に前記複数の文字それぞれの上辺位置を示す複数のｙ座標を第２ｙ座標として取得し、
前記判断部は、更に取得された前記第２ｙ座標の中それぞれの前記第２ｙ座標の差を検出し、検出された何れかの差が予め定められた第２ｙ座標差閾値を超えるか否かを判断し、
前記第２ｙ座標差閾値を超えると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項１記載の文字認識装置。
【請求項３】
前記それぞれの差が前記第２ｙ座標差閾値以下であると判断されると、前記判断部は、更に前記第１ｙ座標及び前記第２ｙ座標に基づいて前記複数の文字それぞれの高さを検出し、検出された何れかの高さが予め定められた高さ閾値を超えるか否かを判断し、
前記高さ閾値を超えると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項２記載の文字認識装置。
【請求項４】
前記高さ閾値は、前記所定領域を予め定められた所定行数で分割した分割領域の行高さであることを特徴とする請求項３記載の文字認識装置。
【請求項５】
前記複数の文字それぞれの幅を示す複数のｘ座標を取得するｘ座標取得部を更に備え、
前記それぞれの差が前記第２ｙ座標閾値以下であると判断されると、前記判断部は、更に取得された前記ｘ座標の中それぞれの前記ｘ座標の差を検出し、検出された何れかの差が予め定められた幅差閾値を超えるか否かを判断し、
前記幅差閾値を超えると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項２記載の文字認識装置。
【請求項６】
前記それぞれの差が前記幅差閾値以下であると判断されると、前記判断部は、更に前記複数のｘ座標に基づいて前記複数の文字それぞれの文字間隔を検出し、検出された何れかの前記文字間隔が０であるか否かを判断し、
０であると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項５記載の文字認識装置。
【請求項７】
前記それぞれの文字間隔が０でないと判断されると、前記判断部は、更にそれぞれの前記文字間隔の差を検出し、検出された何れかの差が予め定められた間隔差閾値を超えるか否かを判断し、
前記間隔差閾値を超えると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項６記載の文字認識装置。
【請求項８】
前記帳票は、更に活字が印字される活字領域を有し、
前記ｙ座標取得部は、更に前記活字の下辺位置を示すｙ座標を活字第１ｙ座標として取得し、前記活字の上辺位置を示すｙ座標を活字第２ｙ座標として取得し、
前記判断部は、前記第１ｙ座標及び前記第２ｙ座標に基づいて前記複数の文字それぞれの高さを検出し、前記活字第１ｙ座標及び前記活字第２ｙ座標に基づいて前記活字の高さを検出し、検出された何れかの高さが検出された前記活字の高さを超えるか否かを判断し、
前記活字の高さを超えると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項２記載の文字認識装置。
【請求項９】
前記複数の文字それぞれの幅及び前記活字の活字幅を示す複数のｘ座標を取得するｘ座標取得部を更に備え、
前記それぞれの高さが前記活字の高さ以下であると判断されると、前記判断部は、
更に前記複数の文字それぞれの幅が前記活字幅を超えるか否かを判断し、
前記活字幅を超えると判断されると、前記認識部は、前記複数の文字が修正対象であると判断して、該複数の文字の認識結果を修正対象文字として出力し、
前記付加処理部は、出力された前記修正対象文字と対応させて、前記フラグ情報を付加することを特徴とする請求項８記載の文字認識装置。
【請求項１０】
所定領域を有する帳票に対して、該所定領域に記載された複数の文字を読み取って認識するための文字認識装置であって、
前記所定領域において、同一の行に記載された複数の文字からなる文字列のｘ軸方向からのずれの角度を取得する角度取得部と、
取得された前記角度が予め定められた角度閾値を超えるか否かを判断する判断部と、
前記角度閾値を超えると判断されると、前記複数の文字が修正対象であると判断して、該複数の文字の認識結果を修正対象文字として出力する認識部と、
出力された前記修正対象文字と対応させて、該修正対象文字が修正対象であることを示すフラグ情報を付加する付加処理部と、
を備えることを特徴とする文字認識装置。
【請求項１１】
前記帳票は、被保険者が医療機関において受けた診療に対する診療報酬を保険者に請求するために該医療機関により発行された診療報酬明細書（レセプト）であり、前記フォームは、各医療機関で統一に用いられ、前記所定領域は、前記被保険者が該医療機関において診療を受けた傷病名を記載するための傷病名欄であることを特徴とする請求項１又は９記載の文字認識装置。
【請求項１２】
前記帳票は、被保険者が医療機関において受けた診療に対する診療報酬を保険者に請求するために該医療機関により発行された診療報酬明細書（レセプト）であり、前記フォームは、各医療機関で統一に用いられ、前記所定領域は、前記被保険者が該医療機関において診療を受けた傷病名を記載するための傷病名欄であり、前記活字領域は、前記保険者を識別する識別番号としての記号番号を記載するための記号番号欄であることを特徴とする請求項８記載の文字認識装置。
【請求項１３】
所定領域を有する帳票に対して、該所定領域に記載された複数の文字を読み取って認識するための文字認識装置と、該文字認識装置に接続される修正用端末装置とを含む文字認識システムであって、
前記文字認識装置は、
前記所定領域の所定領域イメージを取得するイメージ取得部と、
前記所定領域において、同一の行に記載された複数の文字それぞれの下辺位置を示す複数のｙ座標を第１ｙ座標として取得するｙ座標取得部と、
取得された前記複数の第１ｙ座標の中それぞれの前記第１ｙ座標の差を検出し、検出された何れかの差が予め定められた第１ｙ座標差閾値を超えるか否かを判断する判断部と、
前記第１ｙ座標差閾値を超えると判断されると、前記複数の文字が修正対象であると判断して、該複数の文字の認識結果を修正対象文字として出力する認識部と、
出力された前記修正対象文字と対応させて、該修正対象文字が修正対象であることを示すフラグ情報を付加する付加処理部と、
前記フラグ情報が付加された前記修正対象文字が含まれる前記帳票の前記所定領域に対する前記認識結果及び前記イメージ取得部により取得された前記所定領域イメージを前記修正用端末装置へ送信する装置送信部とを備え、
前記修正用端末装置は、
前記文字認識装置から前記修正対象文字を含む前記認識結果及び前記所定領域イメージを受信する端末受信部と、
受信した前記修正対象文字を含む前記認識結果及び前記所定領域イメージを表示する表示部と、
を備えることを特徴とする文字認識システム。
【請求項１４】
前記修正用端末装置は、表示された前記修正対象文字を修正した修正結果をオペレータに入力させる入力部を更に備えることを特徴とする請求項１３記載の文字認識システム。
【請求項１５】
前記修正用端末装置に接続され、前記文字認識装置における前記認識部による前記認識結果が記憶される記憶装置を更に含み、
前記修正用端末装置は、表示された前記修正対象文字を修正した修正文字をオペレータに入力させる入力部と、入力された前記修正文字を含む前記認識結果の修正結果を前記記憶装置へ送信する装置送信部とを更に備え、
前記記憶装置は、前記修正用端末装置から受信した前記修正結果を記憶することを特徴とする請求項１３記載の文字認識システム
【請求項１６】
前記文字認識装置において、前記判断部により、前記それぞれの差が前記第１ｙ座標差閾値以下であると判断されると、前記ｙ座標取得部は、更に前記複数の文字それぞれの上辺位置を示す複数のｙ座標を第２ｙ座標として取得し、前記判断部は、更に取得された前記第２ｙ座標の中それぞれの前記第２ｙ座標の差を検出し、検出された何れかの差が予め定められた第２ｙ座標差閾値を超えるか否かを判断し、前記第２ｙ座標差閾値を超えると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項１３記載の文字認識システム。
【請求項１７】
前記それぞれの差が前記第２ｙ座標差閾値以下であると判断されると、前記判断部は、更に前記第１ｙ座標及び前記第２ｙ座標に基づいて前記複数の文字それぞれの高さを検出し、検出された何れかの高さが予め定められた高さ閾値を超えるか否かを判断し、前記高さ閾値を超えると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項１６記載の文字認識システム。
【請求項１８】
前記高さ閾値は、前記所定領域を予め定められた所定行数で分割した分割領域の行高さであることを特徴とする請求項１７記載の文字認識システム。
【請求項１９】
前記文字認識装置は、前記複数の文字それぞれの幅を示す複数のｘ座標を取得するｘ座標取得部を更に備え、
前記それぞれの高さが前記高さ閾値以下であると判断されると、前記判断部は、更に取得された前記ｘ座標の中それぞれの前記ｘ座標の差を検出し、検出された何れかの差が予め定められた幅差閾値を超えるか否かを判断し、前記幅差閾値を超えると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項１７記載の文字認識システム。
【請求項２０】
前記それぞれの差が前記幅差閾値以下であると判断されると、前記判断部は、更に前記複数のｘ座標に基づいて前記複数の文字それぞれの文字間隔を検出し、検出された何れかの前記文字間隔が０であるか否かを判断し、０であると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項１９記載の文字認識システム。
【請求項２１】
前記それぞれの文字間隔が０でないと判断されると、前記判断部は、更にそれぞれの前記文字間隔の差を検出し、検出された何れかの差が予め定められた間隔差閾値を超えるか否かを判断し、前記間隔差閾値を超えると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項２０記載の文字認識システム。
【請求項２２】
前記帳票は、更に活字が印字される活字領域を有し、
前記文字認識装置において、前記ｙ座標取得部は、更に前記活字の下辺位置を示す活字第１ｙ座標及び前記活字の上辺位置を示す活字第２ｙ座標を取得し、前記判断部は、前記第１ｙ座標及び前記第２ｙ座標に基づいて前記複数の文字それぞれの高さを検出し、前記活字第１ｙ座標及び前記活字第２ｙ座標に基づいて前記活字の高さを検出し、検出された何れかの高さが検出された前記活字の高さを超えるか否かを判断し、前記活字の高さを超えると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項１６記載の文字認識システム。
【請求項２３】
前記文字認識装置は、前記複数の文字それぞれの幅及び前記活字の活字幅を示す複数のｘ座標を取得するｘ座標取得部を更に備え、
前記それぞれの高さが前記活字の高さ以下であると判断されると、前記判断部は、更に前記複数の文字それぞれの幅が前記活字幅を超えるか否かを判断し、前記活字幅を超えると判断されると、前記認識部は、前記複数の文字が修正対象であると判断して、該複数の文字の認識結果を修正対象文字として出力し、前記付加処理部は、出力された前記修正対象文字と対応させて、前記フラグ情報を付加することを特徴とする請求項２２記載の文字認識システム。
【請求項２４】
所定領域を有する帳票に対して、該所定領域に記載された複数の文字を読み取って認識するための文字認識装置と、該文字認識装置に接続される修正用端末装置とを含む文字認識システムであって、
前記文字認識装置は、
前記所定領域の所定領域イメージを取得するイメージ取得部と、
前記所定領域において、同一の行に記載された複数の文字からなる文字列のｘ軸方向からのずれの角度を取得する角度取得部と、
取得された前記角度が予め定められた角度閾値を超えるか否かを判断する判断部と、
前記角度閾値を超えると判断されると、前記複数の文字が修正対象であると判断して、該複数の文字の認識結果を修正対象文字として出力する認識部と、
出力された前記修正対象文字と対応させて、該修正対象文字が修正対象であることを示すフラグ情報を付加する付加処理部と、
前記フラグ情報が付加された前記修正対象文字が含まれる前記帳票の前記所定領域に対する前記認識結果及び前記イメージ取得部により取得された前記所定領域イメージを前記修正用端末装置へ送信する装置送信部とを備え、
前記修正用端末装置は、
前記文字認識装置から前記修正対象文字を含む前記認識結果及び前記所定領域イメージを受信する端末受信部と、
受信した前記修正対象文字を含む前記認識結果及び前記所定領域イメージを表示する表示部と、
を備えることを特徴とする文字認識システム。
【請求項２５】
前記修正用端末装置は、表示された前記修正対象文字を修正した修正結果をオペレータに入力させる入力部を更に備えることを特徴とする請求項２４記載の文字認識システム。
【請求項２６】
前記修正用端末装置に接続され、前記文字認識装置における前記認識部による前記認識結果が記憶される記憶装置を更に含み、
前記修正用端末装置は、表示された前記修正対象文字を修正した修正文字をオペレータに入力させる入力部と、入力された前記修正文字を含む前記認識結果の修正結果を前記記憶装置へ送信する装置送信部とを更に備え、
前記記憶装置は、前記修正用端末装置から受信した前記修正結果を記憶することを特徴とする請求項２４記載の文字認識システム
【請求項２７】
前記帳票は、被保険者が医療機関において受けた診療に対する診療報酬を保険者に請求するために該医療機関により発行された診療報酬明細書（レセプト）であり、前記フォームは、各医療機関で統一に用いられ、前記所定領域は、前記被保険者が該医療機関において診療を受けた傷病名を記載するための傷病名欄であることを特徴とする請求項１３又は２４記載の文字認識システム。
【請求項２８】
前記帳票は、被保険者が医療機関において受けた診療に対する診療報酬を保険者に請求するために該医療機関により発行された診療報酬明細書（レセプト）であり、前記フォームは、各医療機関で統一に用いられ、前記所定領域は、前記被保険者が該医療機関において診療を受けた傷病名を記載するための傷病名欄であり、前記活字領域は、前記保険者を識別する識別番号としての記号番号を記載するための記号番号欄であることを特徴とする請求項２２記載の文字認識システム。
【発明の詳細な説明】
【技術分野】
【０００１】
本発明は、帳票に記載された文字を読み取って認識するための文字認識装置及び文字認識システムに関し、特に、誤読文字を修正可能な文字認識装置及び文字認識システムに関する。
【背景技術】
【０００２】
健康保険組合等の何れかの保険者に加入している加入者、即ち被保険者は、怪我や病気の治療のため、保険者により発行された保険証を持って、病院や診療所等の医療機関を訪れて、診療を受けることができる。そして、診療終了後、被保険者は、診療報酬の一部、例えば三割を、医療機関の窓口でその場で支払う。医療機関は、残りの報酬、例えば７割に対して、該被保険者に対応する保険者に、後日請求を行う。
【０００３】
医療機関は、保険者に対して診療報酬を請求するために、それぞれの患者、即ち被保険者が該医療機関において１ヶ月間に受けた全ての診療に対する診療報酬について、その明細を記載した帳票、即ち診療報酬明細書（以下、「レセプト」と記す）を作成する。
【０００４】
レセプトは、所定のフォームを有し、該フォームには、患者の氏名を記載する氏名欄や、保険者を識別する識別番号としての記号番号を記載する記号番号欄、該患者が該医療機関において診療を受けた怪我や病気の名称を記載する傷病名欄等が設けられており、医療機関は、各欄に必要事項を活字により印字して或いは手書きして、レセプトを作成する。
【０００５】
そして、医療機関は、全ての患者に対して作成したレセプトを、翌月の初めまでに、社会保険診療報酬支払基金に提出する。この社会保険診療報酬支払基金は、毎月、各医療機関からレセプトを受け取った後、文字認識装置を用いて、該レセプトの例えば記載内容の正当性をチェックすると共に、認識された記号番号に基づいて、該レセプトを保険者毎に分類する。分類されたレセプトは、それぞれの保険者へ送付される。
その後、レセプトが送付された保険者により、該レセプトに記載された明細から計算される診療報酬が、各医療機関に対して支払われる。
【０００６】
この社会保険診療報酬支払基金では、従来、レセプトの各欄に記載された記載情報の読取及び認識処理は行っているものの、各記載情報の認識結果に対して、上記した分類やチェック以外の利用はなされていなかった。
【０００７】
一方、傷病名欄への記載情報を集計した統計データを、医療機関等に提供することが考えられる。そのためには、該記載情報を正確に認識可能な文字認識装置の開発が必要である。
【０００８】
ところで、レセプトの傷病名欄には、上記したように、活字或いは手書文字のほか、修正がなされている修正文字や、スタンプにより傷病名が記載されているスタンプ印字等が存在する。しかしながら、上記した文字認識装置は、活字用辞書データを用いて認識処理を行うので、手書文字や修正文字等を全て正確に認識することは不可能であった。
【０００９】
そのため、従来の文字認識装置は、傷病名欄の認識処理において、認識不可とされた文字、即ち不読文字が含まれるレセプトが、修正対象のレセプトであると判断している。そして、レセプトの修正作業のために設置された修正用端末装置において、端末表示部が修正対象のレセプトの表示を行い、オペレータが表示された修正対象のレセプトを見ながら、記載されている傷病名を入力して、修正を行っていた。
【発明の開示】
【発明が解決しようとする課題】
【００１０】
しかしながら、上記した文字認識装置は、傷病名欄に記載される活字以外の文字、例えば手書文字等に対して、認識不可とせず、誤った認識結果を出力する、即ち誤読することもある。この場合、誤読された文字、即ち誤読文字を含むレセプトは、上記した不読文字を含むレセプトとは異なり、認識結果が出力されているため、修正対象のレセプトであるとは判断されず、修正用端末装置における修正は実行されない。そのため、傷病名が誤読されたまま、上記した統計データに集計されてしまい、正確な統計データを得られないという問題があった。
【００１１】
したがって、誤読が発生しやすい文字を修正可能且つ信頼性の高い統計データを提供可能な文字認識装置及び文字認識システムが望まれていた。
【課題を解決するための手段】
【００１２】
本発明は、以上の点を解決するために、次の構成を採用する。
【００１３】
〈構成１〉
本発明に係る文字認識装置は、所定領域を有する帳票に対して、該所定領域に記載された複数の文字を読み取って認識するために、所定領域において、同一の行に記載された複数の文字それぞれの下辺位置を示す複数のｙ座標を第１ｙ座標として取得するｙ座標取得部と、取得された複数の第１ｙ座標の中それぞれの第１ｙ座標の差を検出し、検出された何れかの差が予め定められた第１ｙ座標差閾値を超えるか否かを判断する判断部と、第１ｙ座標差閾値を超えると判断されると、複数の文字が修正対象であると判断して、該複数の文字の認識結果を修正対象文字として出力する認識部と、出力された修正対象文字と対応させて、該修正対象文字が修正対象であることを示すフラグ情報を付加する付加処理部とを備えることを特徴とする。
【００１４】
本発明に係る文字認識装置は、判断部により、それぞれの差が第１ｙ座標差閾値以下であると判断されると、ｙ座標取得部は、更に複数の文字それぞれの上辺位置を示す複数のｙ座標を第２ｙ座標として取得し、判断部は、更に取得された第２ｙ座標の中それぞれの第２ｙ座標の差を検出し、検出された何れかの差が予め定められた第２ｙ座標差閾値を超えるか否かを判断し、第２ｙ座標差閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００１５】
また、それぞれの差が第２ｙ座標差閾値以下であると判断されると、判断部は、更に第１ｙ座標及び第２ｙ座標に基づいて複数の文字それぞれの高さを検出し、検出された何れかの高さが予め定められた高さ閾値を超えるか否かを判断し、高さ閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００１６】
この場合、高さ閾値として、所定領域を予め定められた所定行数で分割した分割領域の行高さを採用することができる。
【００１７】
本発明に係る文字認識装置は、複数の文字それぞれの幅を示す複数のｘ座標を取得するｘ座標取得部を更に備え、判断部は、それぞれの差が第２ｙ座標閾値以下であると判断すると、更に取得されたｘ座標の中それぞれのｘ座標の差を検出し、検出された何れかの差が予め定められた幅差閾値を超えるか否かを判断し、幅差閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００１８】
また、それぞれの差が幅差閾値以下であると判断されると、判断部は、更に複数のｘ座標に基づいて複数の文字それぞれの文字間隔を検出し、検出された何れかの文字間隔が０であるか否かを判断し、０であると判断されると、認識部は、複数の文字が修正対象であると判断して、該複数の文字の認識結果を修正対象文字として出力し、付加処理部は、出力された修正対象文字と対応させて、フラグ情報を付加することができる。
【００１９】
更に、それぞれの文字間隔が０でないと判断されると、判断部は、更にそれぞれの文字間隔の差を検出し、検出された何れかの差が予め定められた間隔差閾値を超えるか否かを判断し、間隔差閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００２０】
本発明に係る文字認識装置において、帳票は、更に活字が印字される活字領域を有することができる。この場合、ｙ座標取得部は、更に活字の下辺位置を示すｙ座標を活字第１ｙ座標として取得し、活字の上辺位置を示すｙ座標を活字第２ｙ座標として取得し、判断部は、第１ｙ座標及び第２ｙ座標に基づいて複数の文字それぞれの高さを検出し、活字第１ｙ座標及び活字第２ｙ座標に基づいて活字の高さを検出し、検出された何れかの高さが検出された活字の高さを超えるか否かを判断し、活字の高さを超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００２１】
本発明に係る文字認識装置は、複数の文字それぞれの幅及び活字の活字幅を示す複数のｘ座標を取得するｘ座標取得部を更に備え、それぞれの高さが活字の高さ以下であると判断されると、判断部は、更に複数の文字それぞれの幅が活字幅を超えるか否かを判断し、
活字幅を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００２２】
本発明に係る文字認識装置において、帳票として、被保険者が医療機関において受けた診療に対する診療報酬を保険者に請求するために該医療機関により発行された診療報酬明細書（レセプト）を採用することができる。この場合、フォームは、各医療機関で統一に用いられ、所定領域は、被保険者が該医療機関において診療を受けた傷病名を記載するための傷病名欄であり、活字領域は、保険者を識別する識別番号としての記号番号を記載するための記号番号欄である。
【００２３】
〈構成２〉
本発明に係る文字認識装置は、所定領域を有する帳票に対して、該所定領域に記載された複数の文字を読み取って認識するために、所定領域において、同一の行に記載された複数の文字からなる文字列のｘ軸方向からのずれの角度を取得する角度取得部と、取得された角度が予め定められた角度閾値を超えるか否かを判断する判断部と、角度閾値を超えると判断されると、複数の文字が修正対象であると判断して、該複数の文字の認識結果を修正対象文字として出力する認識部と、出力された修正対象文字と対応させて、該修正対象文字が修正対象であることを示すフラグ情報を付加する付加処理部とを備えることができる。
【００２４】
本発明に係る文字認識装置において、帳票として、被保険者が医療機関において受けた診療に対する診療報酬を保険者に請求するために該医療機関により発行された診療報酬明細書（レセプト）を採用することができる。この場合、フォームは、各医療機関で統一に用いられ、所定領域は、被保険者が該医療機関において診療を受けた傷病名を記載するための傷病名欄であり、活字領域は、保険者を識別する識別番号としての記号番号を記載するための記号番号欄である。
【００２５】
〈構成３〉
本発明に係る文字認識システムは、所定領域を有する帳票に対して、該所定領域に記載された複数の文字を読み取って認識するための文字認識装置と、該文字認識装置に接続される修正用端末装置とを含み、文字認識装置は、所定領域の所定領域イメージを取得するイメージ取得部と、所定領域において、同一の行に記載された複数の文字それぞれの下辺位置を示す複数のｙ座標を第１ｙ座標として取得するｙ座標取得部と、取得された複数の第１ｙ座標の中それぞれの第１ｙ座標の差を検出し、検出された何れかの差が予め定められた第１ｙ座標差閾値を超えるか否かを判断する判断部と、第１ｙ座標差閾値を超えると判断されると、複数の文字が修正対象であると判断して、該複数の文字の認識結果を修正対象文字として出力する認識部と、出力された修正対象文字と対応させて、該修正対象文字が修正対象であることを示すフラグ情報を付加する付加処理部と、フラグ情報が付加された修正対象文字が含まれる帳票の所定領域に対する認識結果及びイメージ取得部により取得された所定領域イメージを修正用端末装置へ送信する装置送信部とを備え、修正用端末装置は、文字認識装置から修正対象文字を含む認識結果及び所定領域イメージを受信する端末受信部と、受信した修正対象文字を含む認識結果及び所定領域イメージを表示する表示部とを備えることを特徴とする。
【００２６】
本発明に係る文字認識システムにおいて、修正用端末装置は、表示された修正対象文字を修正した修正結果をオペレータに入力させる入力部を更に備えることができる。
【００２７】
本発明に係る文字認識システムは、修正用端末装置に接続され、文字認識装置における認識部による認識結果が記憶される記憶装置を更に含むことができる。この場合、修正用端末装置は、表示された修正対象文字を修正した修正文字をオペレータに入力させる入力部と、入力された修正文字を含む認識結果の修正結果を記憶装置へ送信する装置送信部とを更に備え、記憶装置は、修正用端末装置から受信した修正結果を記憶することを特徴とする。
【００２８】
また、文字認識装置において、判断部により、それぞれの差が第１ｙ座標差閾値以下であると判断されると、ｙ座標取得部は、更に複数の文字それぞれの上辺位置を示す複数のｙ座標を第２ｙ座標として取得し、判断部は、更に取得された第２ｙ座標の中それぞれの第２ｙ座標の差を検出し、検出された何れかの差が予め定められた第２ｙ座標差閾値を超えるか否かを判断し、第２ｙ座標差閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００２９】
この場合、それぞれの差が第２ｙ座標差閾値以下であると判断されると、判断部は、更に第１ｙ座標及び第２ｙ座標に基づいて複数の文字それぞれの高さを検出し、検出された何れかの高さが予め定められた高さ閾値を超えるか否かを判断し、高さ閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００３０】
また、高さ閾値として、所定領域を予め定められた所定行数で分割した分割領域の行高さを採用することができる。
【００３１】
本発明に係る文字認識システムにおいて、文字認識装置は、複数の文字それぞれの幅を示す複数のｘ座標を取得するｘ座標取得部を更に備えることができる。この場合、判断部は、それぞれの高さが高さ閾値以下であると判断すると、更に取得されたｘ座標の中それぞれのｘ座標の差を検出し、検出された何れかの差が予め定められた幅差閾値を超えるか否かを判断し、幅差閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００３２】
また、それぞれの差が幅差閾値以下であると判断されると、判断部は、更に複数のｘ座標に基づいて複数の文字それぞれの文字間隔を検出し、検出された何れかの文字間隔が０であるか否かを判断し、０であると判断されると、認識部は、複数の文字が修正対象であると判断して、該複数の文字の認識結果を修正対象文字として出力し、付加処理部は、出力された修正対象文字と対応させて、フラグ情報を付加することができる。
【００３３】
更に、それぞれの文字間隔が０でないと判断されると、判断部は、それぞれの文字間隔の差を検出し、検出された何れかの差が予め定められた間隔差閾値を超えるか否かを判断し、間隔差閾値を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００３４】
本発明に係る文字認識システムにおいて、帳票は、更に活字が印字される活字領域を有することができる。この場合、文字認識装置において、ｙ座標取得部は、更に活字の下辺位置を示す活字第１ｙ座標及び活字の上辺位置を示す活字第２ｙ座標を取得し、判断部は、第１ｙ座標及び第２ｙ座標に基づいて複数の文字それぞれの高さを検出し、活字第１ｙ座標及び活字第２ｙ座標に基づいて活字の高さを検出し、検出された何れかの高さが検出された活字の高さを超えるか否かを判断し、活字の高さを超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００３５】
この場合、文字認識装置は、複数の文字それぞれの幅及び活字の活字幅を示す複数のｘ座標を取得するｘ座標取得部を更に備えることができ、それぞれの高さが活字の高さ以下であると判断されると、判断部は、更に複数の文字それぞれの幅が活字幅を超えるか否かを判断し、活字幅を超えると判断されると、認識部は、複数の文字が修正対象であると判断して、該複数の文字の認識結果を修正対象文字として出力し、付加処理部は、出力された修正対象文字と対応させて、フラグ情報を付加することができる。
【００３６】
本発明に係る文字認識システムにおいて、帳票として、被保険者が医療機関において受けた診療に対する診療報酬を保険者に請求するために該医療機関により発行された診療報酬明細書（レセプト）を採用することができる。この場合、フォームは、各医療機関で統一に用いられ、所定領域は、被保険者が該医療機関において診療を受けた傷病名を記載するための傷病名欄であり、活字領域は、保険者を識別する識別番号としての記号番号を記載するための記号番号欄である。
【００３７】
〈構成４〉
本発明に係る文字認識システムは、所定領域を有する帳票に対して、該所定領域に記載された複数の文字を読み取って認識するための文字認識装置と、該文字認識装置に接続される修正用端末装置とを含み、文字認識装置は、所定領域の所定領域イメージを取得するイメージ取得部と、所定領域において、同一の行に記載された複数の文字からなる文字列のｘ軸方向からのずれの角度を取得する角度取得部と、取得された角度が予め定められた角度閾値を超えるか否かを判断する判断部と、角度閾値を超えると判断されると、複数の文字が修正対象であると判断して、該複数の文字の認識結果を修正対象文字として出力する認識部と、出力された修正対象文字と対応させて、該修正対象文字が修正対象であることを示すフラグ情報を付加する付加処理部と、フラグ情報が付加された修正対象文字が含まれる帳票の所定領域に対する認識結果及びイメージ取得部により取得された所定領域イメージを修正用端末装置へ送信する装置送信部とを備え、修正用端末装置は、文字認識装置から修正対象文字を含む認識結果及び所定領域イメージを受信する端末受信部と、受信した修正対象文字を含む認識結果及び所定領域イメージを表示する表示部とを備えることを特徴とする。
【００３８】
本発明に係る文字認識システムにおいて、修正用端末装置は、表示された修正対象文字を修正した修正結果をオペレータに入力させる入力部を更に備えることができる。
【００３９】
本発明に係る文字認識システムは、修正用端末装置に接続され、文字認識装置における認識部による認識結果が記憶される記憶装置を更に含むことができる。この場合、修正用端末装置は、表示された修正対象文字を修正した修正文字をオペレータに入力させる入力部と、入力された修正文字を含む認識結果の修正結果を記憶装置へ送信する装置送信部とを更に備え、記憶装置は、修正用端末装置から受信した修正結果を記憶することを特徴とする。
【００４０】
本発明に係る文字認識システムにおいて、帳票として、被保険者が医療機関において受けた診療に対する診療報酬を保険者に請求するために該医療機関により発行された診療報酬明細書（レセプト）を採用することができる。この場合、フォームは、各医療機関で統一に用いられ、所定領域は、被保険者が該医療機関において診療を受けた傷病名を記載するための傷病名欄であり、活字領域は、保険者を識別する識別番号としての記号番号を記載するための記号番号欄である。
【発明の効果】
【００４１】
本発明の文字認識装置及び文字認識システムによれば、誤読が発生しやすい文字の認識結果に対して、修正対象であることを示すフラグ情報が設定され、修正用端末装置により該認識結果の修正が可能となるので、活字や手書文字等の混在した記載情報に対する認識処理の精度が向上され、信頼性の高い統計データを提供可能となる。
【発明を実施するための最良の形態】
【００４２】
以下、本発明の実施形態を図を用いて詳細に説明する。ここでは、本発明を、レセプトに記載された文字を認識するための文字認識装置及び該文字認識装置を含む文字認識システムに適用し、レセプトの傷病名欄に記載された傷病名の認識処理を行う場合を例に説明する。
【実施例１】
【００４３】
図１は、本発明に係る文字認識システムの実施例１における構成を示すブロック図である。この文字認識システム１０を利用することにより、レセプトに記載された記載情報を読み取って認識することができる。
【００４４】
なお、レセプトは、患者である被保険者が医療機関において受けた診療に対する診療報酬を保険者に請求するために該医療機関により発行された帳票としての診療報酬明細書であり、患者の氏名を記載する氏名欄や、保険者を識別する識別番号としての記号番号を記載する記号番号欄、該患者が該医療機関において診療を受けた怪我や病気の名称、即ち傷病名を記載する傷病名欄等が設けられている。
【００４５】
文字認識システム１０は、図１に示されるように、文字認識装置１１、修正用端末装置１２及び記憶装置１３を備えている。
【００４６】
文字認識装置１１は、搬送部１４、フォーム記憶部１５、イメージ取得部１６、一時記憶部１７、ｙ座標取得部１８、閾値記憶部１９、判断部２０、認識部２１、付加処理部２２、装置通信部２３及びこれら各部を制御するための装置制御部２４を備えている。
【００４７】
搬送部１４は、図示されない載置部に載置された複数枚のレセプトを１枚ずつ順に搬送する機能を有する。
【００４８】
フォーム記憶部１５は、レセプトのフォームを予め記憶する専用記憶部である。
【００４９】
イメージ取得部１６は１枚ずつ搬送されたレセプトのイメージを取得する機能を有する。
【００５０】
図２は、レセプトの一例を示す説明図である。
レセプトには、傷病名欄３０が設けられ、該レセプトを作成した医療機関において、患者が診療を受けた怪我や病気の名称、即ち傷病名が記載されている。なお、傷病名欄３０における傷病名の記載は、５行以内とすることが規定されている。
【００５１】
一時記憶部１７は、イメージ取得部１６により取得されたレセプトのイメージや、各部の出力結果等を一時的に記憶する機能を有する。
【００５２】
ｙ座標取得部１８は、一時記憶部１７に記憶されたイメージに、フォーム記憶部１５に記憶されたフォームを当てはめて、傷病名欄３０に記載された傷病名に含まれる複数の文字それぞれの下辺位置を示すｙ座標を第１ｙ座標として取得する機能を有する。ここで、本実施例のｙ座標取得部１８は、フォームにおいて傷病名欄３０を形成する左側罫線３４をｙ座標軸、下側罫線３５をｘ座標軸とそれぞれみなすことにより、各座標値の取得を行うものとする。
【００５３】
図３は、レセプトの傷病名欄の印字例を示す説明図（その１）である。
傷病名欄３０には、図３に示されるように、活字による印字や手書文字等により、傷病名が１行乃至５行にわたり記載されている。
【００５４】
ｙ座標取得部１８は、まず、傷病名欄３０に記載された傷病名に含まれる各文字を囲む矩形領域を切り出す。図３（１）には、１行目に記載された「胃炎」に含まれる各文字を、破線で示される矩形領域で切り出した様子が示されている。そして、ｙ座標取得部１８は、切り出された各矩形領域の下辺位置を示すｙ座標ｙ１を、第１ｙ座標として取得する。
【００５５】
閾値記憶部１９は、後述する判断部２０による判断動作の基準となる閾値が予め記憶される記憶部であり、本実施例では、第１ｙ座標差閾値δｙ１が記憶されている。この第１ｙ座標差閾値δｙ１は、後述するように、ｙ座標取得部１８により傷病名欄３０の同一行に記載された複数の文字から取得された各第１ｙ座標の偏りの閾値であり、第１ｙ座標差閾値δｙ１を超えるばらつきがある場合、該行に記載された文字のｙ座標は不揃いであり、即ち活字による印字ではなく、例えば手書文字であると判断される。
【００５６】
判断部２０は、ｙ座標取得部１８により取得された第１ｙ座標ｙ１及び閾値記憶部１９に記憶されている第１ｙ座標差閾値δｙ１に基づいて、傷病名欄３０に記載された文字が誤読が発生しやすい文字であるか否かを判断する機能を有する。
【００５７】
認識部２１は、傷病名欄３０に記載された文字に対して文字認識処理を行い、認識結果を出力する機能を有する。認識部２１は、本実施例では、図示されない活字用辞書データを用いて、ＯＣＲ（Ｏｐｔｉｃａｌ  Ｃａｒａｃｔｅｒ  Ｒｅａｄｅｒ）認識処理により文字認識処理を行う。
【００５８】
付加処理部２２は、判断部２０により誤読が発生しやすい文字であると判断された文字に対して、認識部２１により出力された認識結果に、修正対象であることを示すフラグ情報を付加する機能を有する。
【００５９】
装置通信部２３は、修正用端末装置１２及び記憶装置１３との通信機能を有し、各レセプトの傷病名欄３０の各行に記載された文字に対する認識結果に、フラグ情報が付加された修正対象文字が含まれる場合、即ち修正対象のレセプトの場合、該レセプトの傷病名欄３０に対する認識結果及びイメージを修正用端末装置１２へ送信し、フラグ情報が付加されていないレセプトの場合、該認識結果及びイメージを記憶装置１３へ送信する。
【００６０】
装置制御部２４は、上記した各部１４〜２３を制御する機能を有する。
【００６１】
修正用端末装置１２は、専用線を介して文字認識装置１１及び記憶装置１３に接続され、端末通信部２５、端末記憶部２６、表示部２７、入力部２８及びこれら各部を制御するための端末制御部２９を備えている。
【００６２】
端末通信部２５は、文字認識装置１１及び記憶装置１３との通信機能を有し、文字認識装置１１から修正対象のレセプトのイメージ及び該レセプトの傷病名欄３０に対する認識結果を受信し、修正処理を行ったレセプトのイメージ及び該レセプトに対する修正結果を記憶装置１３へ送信する。
【００６３】
端末記憶部２６は、端末通信部２５により受信したデータや、入力部により入力されたデータ等を一時的に記憶する一時記憶部である。
【００６４】
表示部２７は、例えばディスプレイからなり、修正対象のレセプトのイメージ及び該レセプトに対する認識結果を含む修正画面（後述）を表示する機能を有する。
【００６５】
入力部２８は、例えばマウス及びキーボードからなり、表示部２７に表示された修正画面において、表示された認識結果に含まれる修正対象文字に対する修正文字をオペレータに入力させる機能を有する。
【００６６】
端末制御部２９は、上記した各部２５〜２８を制御する機能を有する。
【００６７】
記憶装置１３は、専用線を介して文字認識装置１１及び修正用端末装置１２に接続され、レセプトのイメージ及び該レセプトの傷病名欄３０に対する認識結果を記憶するデータベースである。
【００６８】
続いて、文字認識システム１０を利用してレセプトの傷病名欄３０に記載された文字を認識する処理の流れを、図を用いて説明する。
図４は、本発明に係る文字認識システムの実施例１における文字認識動作を示すフローチャートである。
【００６９】
まず、図３（１）に示される傷病名欄３０−１を含むレセプトに対して文字認識処理を行う場合の流れについて、説明する。
【００７０】
文字認識装置１１において、搬送部１４によりレセプトが搬送される（Ｓ１０１）と、装置制御部２４は、イメージ取得部１６を制御して、該レセプトのイメージを取得させる（Ｓ１０２）。取得されたイメージは、一時記憶部１７に記憶される。
【００７１】
続いて、装置制御部２４は、ｙ座標取得部１８を制御して、フォーム記憶部１５に記憶されたフォーム及び一時記憶部１７に記憶されたイメージを読み出させ、該フォームをイメージに当てはめて、イメージの傷病名欄３０−１の位置に記載された各文字の下辺位置を示すｙ座標を第１ｙ座標として取得させる（Ｓ１０３）。ここで、ｙ座標取得部１８による第１ｙ座標の取得は、行毎に行われる。ｙ座標取得部１８は、傷病名欄３０−１の同一行に記載された複数の文字それぞれの下辺位置を示すｙ座標を、第１ｙ座標として取得する。取得された第１ｙ座標は、一時記憶部１７に記憶される。
【００７２】
例えば、図３（１）に示される傷病名欄３０−１では、１行目に記載されている２つの文字「胃」、「炎」それぞれに対して、第１ｙ座標「ｙ１ａ」、「ｙ１ｂ」が取得される。
【００７３】
次に、装置制御部２４は、判断部２０を制御して、これらの文字が誤読が発生しやすい文字であるか否かの判断を行わせる。
【００７４】
判断部２０は、まず、一時記憶部１７に記憶された第１ｙ座標を読み出して、それぞれの差、即ち第１ｙ座標差を検出する（Ｓ１０５）。判断部２０は、第１ｙ座標「ｙ１ａ」、「ｙ１ｂ」を読み出して、これらに基づいて第１ｙ座標差「｜ｙ１ａ−ｙ１ｂ｜」を検出する。
【００７５】
そして、判断部２０は、閾値記憶部１９から第１ｙ座標差閾値「δｙ１」を読み出して、検出された第１ｙ座標差「｜ｙ１ａ−ｙ１ｂ｜」が、読み出された第１ｙ座標差閾値「δｙ１」を超えるか否かの判断を行う（Ｓ１０５）。
【００７６】
図３（１）に示される傷病名欄３０−１では、傷病名は活字により印字されており、それぞれの第１ｙ座標「ｙ１ａ」及び「ｙ１ｂ」はほぼ同じ値となっている。そのため、第１ｙ座標差「｜ｙ１ａ−ｙ１ｂ｜」は非常に小さな値となり、第１ｙ座標差閾値「δｙ１」以下であると判断される。
【００７７】
判断部２０により、検出された第１ｙ座標差が第１ｙ座標差閾値以下であると判断される（Ｓ１０５）と、これらの文字は誤読されない文字であると判断される。
【００７８】
そして、装置制御部２４は、認識部２１にこれらの文字に対する認識処理を行わせる（Ｓ１０６）。認識部２１による認識結果は、一時記憶部１７に記憶される。
【００７９】
続いて、装置制御部２４は、傷病名欄３０−１に次の行の記載があるか否かの判断を行う（Ｓ１０７）。次の行があると判断されると、該行に含まれる各文字に対して、ｙ座標取得部１８による第１ｙ座標の取得（Ｓ１０３）から判断部２０による各文字が誤読が発生しやすい文字であるか否かの判断（Ｓ１０４、１０５）、そして認識部２１による各文字に対する認識処理（Ｓ１０６）までの動作を繰り返す。
【００８０】
次の行がないと判断される（Ｓ１０７）と、装置制御部２４は、装置通信部２３を制御して、一時記憶部１７に記憶されたレセプトのイメージ及び傷病名欄３０−１に記載されている各文字の認識結果を、記憶装置１３へ送信させる（Ｓ１０８）。
【００８１】
記憶装置１３がレセプトのイメージ及び認識結果を受信すると、これらを対応させて記憶し（Ｓ１０９）、文字認識システム１０は文字認識処理を終了する。
【００８２】
上記のように、活字により印字されたレセプトの傷病名欄に対する文字認識処理が実行され、認識結果は記憶装置に記憶される。
【００８３】
次に、図３（ｂ）に示される傷病名欄３０−２を含むレセプトに対して文字認識処理を行う場合の流れについて、説明する。
【００８４】
文字認識装置１１において、搬送部１４により該レセプトが搬送されて（Ｓ１０１）から、傷病名欄３０−２の１行目及び２行目に対する文字認識処理が行われる（Ｓ１０６）までの処理は、図３（１）に示される傷病名欄３０−１を含むレセプトの場合と同一なので、説明を省略する。
【００８５】
認識部２１により２行目の文字の認識処理が行われ、認識結果が一時記憶部１７に記憶される（Ｓ１０６）と、続いて、装置制御部２４は、傷病名欄３０−２に次の行、即ち３行目の記載があるか否かの判断を行う（Ｓ１０７）。３行目があると判断されるので、続いて、装置制御部２４は、ｙ座標取得部１８による第１ｙ座標の取得を行わせる（Ｓ１０３）。
【００８６】
ｙ座標取得部１８は、傷病名欄３０−２の３行目に記載された各文字の下辺位置を示すｙ座標を第１ｙ座標として取得する（Ｓ１０３）。即ち、ｙ座標取得部１８は、図３（ｂ）に示される傷病名欄３０−２の３行目に手書文字により記載されている３つの文字「胃」、「潰」、「瘍」それぞれに対して、第１ｙ座標「ｙ１ｃ」、「ｙ１ｄ」、「ｙ１ｅ」を取得する。取得された第１ｙ座標は、一時記憶部１７に記憶される。
【００８７】
次に装置制御部２４は、判断部２０を制御して、これらの文字が誤読が発生しやすい文字であるか否かの判断を行わせる。
【００８８】
判断部２０は、まず、一時記憶部１７に記憶された第１ｙ座標「ｙ１ｃ」、「ｙ１ｄ」、「ｙ１ｅ」を読み出して、それぞれの差、即ち第１ｙ座標差「｜ｙ１ｃ−ｙ１ｄ」、「｜ｙ１ｄ−ｙ１ｅ｜」、「｜ｙ１ｅ−ｙ１ｃ｜」を検出する（Ｓ１０５）。
【００８９】
そして、判断部２０は、閾値記憶部１９から第１ｙ座標差閾値「δｙ１」を読み出して、検出された第１ｙ座標差「｜ｙ１ｃ−ｙ１ｄ」、「｜ｙ１ｄ−ｙ１ｅ｜」、「｜ｙ１ｅ−ｙ１ｃ｜」が、読み出された第１ｙ座標差閾値「δｙ１」を超えるか否かの判断を行う（Ｓ１０６）。
【００９０】
図３（ｂ）に示される傷病名欄３０−２では、３行目は手書文字により不揃いに記載されており、それぞれの第１ｙ座標「ｙ１ｃ」、「ｙ１ｄ」及び「ｙ１ｅ」にはばらつきがみられる。このため、検出された第１ｙ座標差の何れかは、第１ｙ座標差閾値「δｙ１」を超える値になると判断される。
【００９１】
判断部２０により、検出された第１ｙ座標差が第１ｙ座標差閾値を超えると判断される（Ｓ１０６）と、これらの文字は誤読が発生しやすい文字であると判断される。
【００９２】
続いて、装置制御部２４は、認識部２１にこれらの文字に対する認識処理を行わせる（Ｓ１１０）。認識部２１による認識結果は、修正対象文字として一時記憶部１７に記憶される。
【００９３】
続いて、装置制御部２４は、付加処理部２２に、修正対象文字であることを示すフラグ情報を、一時記憶部１７に記憶された修正対象文字に付加させる（Ｓ１１１）。
【００９４】
そして、装置制御部２４は、傷病名欄３０−２に次の行の記載があるか否かの判断を行う（Ｓ１１２）。次の行がないと判断されると、装置制御部２４は、装置通信部２３を制御して、一時記憶部１７に記憶されたレセプトのイメージ及び傷病名欄３０−２に記載されている各文字の認識結果を、修正用端末装置１２へ送信させる（Ｓ１１３）。送信される認識結果には、修正対象文字が含まれている。
【００９５】
修正用端末装置１２において、端末通信部２５がレセプトのイメージ及び認識結果を受信すると、端末制御部２９の制御により、端末記憶部２６がこれらを対応させて記憶し（Ｓ１１４）、文字認識システム１０は文字認識処理を終了する。
【００９６】
なお、図中省略したが、Ｓ１０８において、各レセプトの傷病名欄３０の各行に記載された文字に対する認識結果に、フラグ情報が付加された修正対象文字が含まれる場合、Ｓ１０８は実行されずにＳ１１３の動作を行うべく、装置制御部２４は制御を行う。
【００９７】
上記のように、レセプトの傷病名欄における認識処理において、手書文字により不揃いに記載された文字が、誤読が発生しやすい修正対象文字であると判断される。そして該傷病名欄の認識結果は、修正対象であることを示すフラグ情報を付加されて、修正用端末装置へ送信されて記憶される。
【００９８】
続いて、文字認識システム１０を利用してレセプトの傷病名欄３０に記載された文字の認識結果を修正する処理の流れを、図を用いて説明する。
図５は、本発明に係る文字認識システムの実施例１における修正動作を示すフローチャートである。
【００９９】
修正用端末装置１２において、端末制御部２９が、表示部２７を制御して、端末記憶部２６に記憶された修正対象のレセプトのイメージ及び修正対象文字を含む認識結果を表示するための修正画面３３を表示させる（Ｓ１１５）。
【０１００】
図６は、修正画面の構成を示す説明図である。
修正画面３３には、図６に示されるように、左側に、修正対象のレセプトのイメージにおける傷病名欄３０−２部分が拡大されて表示されている。また、修正画面３３の右側には、該傷病名欄３０−２に記載された各文字に対する文字認識装置１１による認識結果が、行毎に表示されている。
【０１０１】
傷病名欄３０−２において、１行目及び２行目は、活字により印字されているので、正しく認識されている。一方、３行目は、手書文字により不揃いに記載されており、文字認識装置１１により修正対象文字であると判断されて、該認識結果にはフラグ情報が付加されている。このため、本実施例の文字認識システム１０では、修正用端末装置１２における修正画面３３の表示において、修正対象文字が含まれる３行目の認識結果を、１、２行目の認識結果とは色を変えて表示することにより、修正対象文字の存在を強調している。
なお、３行目に記載された各文字の認識結果は、１文字目である「胃」は正しく認識されているが、２文字目である「潰」は不読を示す「＊」が表示されており、また、３文字目である「瘍」は「癌」と誤読されている。
【０１０２】
修正画面３３では、オペレータによる入力を促すために、修正対象文字を含む認識結果の表示部分に、カーソルが当てられている。オペレータは、修正画面３３において、傷病名欄３０−２部分のイメージと認識結果とを確認して、認識結果に誤りがある場合、入力部２８を介して修正文字を入力することにより、修正対象文字の修正を行う。
【０１０３】
入力部２８により修正文字が入力されると、端末制御部２９は、端末記憶部２６に記憶された認識結果において、修正対象文字を入力された修正文字に書き換えて、修正結果を記憶させる（Ｓ１１６）。
【０１０４】
そして、端末制御部２９は、端末通信部２５を制御して、修正対象のレセプトのイメージと修正結果とを、記憶装置１３へ送信させる（Ｓ１１７）。
【０１０５】
記憶装置１３がレセプトのイメージ及び修正結果を受信すると、これらを対応させて記憶し（Ｓ１１８）、文字認識システム１０は修正処理を終了する。
【０１０６】
上記のように、修正対象のレセプトに対する修正処理が実行され、修正結果は記憶装置に記憶される。
【０１０７】
以上のように、本実施例の文字認識システムは、レセプトの傷病名欄において、手書文字により不揃いに記載された文字は、修正対象文字であると判断されるので、誤読の発生を抑制することができる。更に、該レセプトのイメージ及び傷病名欄に対する認識結果は修正用端末装置へ送信され、表示されたイメージを確認しながら修正可能なので、傷病名欄に手書文字で記載された傷病名の認識精度が向上され、信頼性の高い統計データの提供が可能となる。
【０１０８】
なお、本実施例では、修正対象のレセプトにおける傷病名欄の認識結果は、文字認識装置から修正用端末装置に送信され、修正処理が実行された後、修正用端末装置から記憶装置に送信されて記憶されているが、文字認識装置において認識処理が行われたレセプトに対する認識結果を全て、文字認識装置から記憶装置へ送信した後、修正用端末装置により、修正対象のレセプトに対する認識結果を記憶装置から読み出して修正処理を行う構成をとることも可能である。この構成及び動作については、実施例２で詳しく説明する。
【０１０９】
また、本実施例では、修正用端末装置における修正対象文字が含まれる認識結果の表示は、色を変えることにより強調されているが、点滅表示や反転表示等により強調することも可能である。
【実施例２】
【０１１０】
図７は、本発明に係る文字認識システムの実施例２における構成を示すブロック図である。
本実施例における文字認識システム５０は、記憶装置５３を文字認識装置５１及び修正用端末装置５２の間に設ける構成及び文字認識装置５１においてｘ座標取得部５６を設ける構成が、実施例１と異なる。
なお、本実施例において、実施例１と同様な構成及び動作を同一の符号で示し、これらについての説明を省略する。
【０１１１】
文字認識システム５０は、図７に示されるように、文字認識装置５１、修正用端末装置５２及び記憶装置５３を備えている。
【０１１２】
文字認識装置５１は、搬送部１４、フォーム記憶部１５、イメージ取得部１６、一時記憶部１７、座標取得部５４、閾値記憶部５７、判断部５８、認識部２１、付加処理部２２、装置書込部５９及びこれら各部を制御するための装置制御部６０を備えている。
【０１１３】
座標取得部５４は、ｙ座標取得部５５及びｘ座標取得部５６を有し、一時記憶部１７に記憶されたイメージに、フォーム記憶部１５に記憶されたフォームを当てはめて、傷病名欄３０に記載された複数の文字それぞれの位置を示す座標を取得する機能を有する。ここで、本実施例の座標取得部５４は、実施例１と同様に、フォームにおいて傷病名欄３０を形成する左側罫線３４をｙ座標軸、下側罫線３５をｘ座標軸とそれぞれみなすことにより、各座標値の取得を行うものとする。
【０１１４】
図８は、レセプトの傷病名欄の印字例を示す説明図（その２）である。
【０１１５】
座標取得部５４は、傷病名欄３０に記載された傷病名に含まれる各文字を囲む矩形領域を切り出す。図８（１）には、１行目に記載された各文字を、破線で示される矩形領域で切り出した様子が示されている。
【０１１６】
ｙ座標取得部５５は、切り出された矩形領域の下辺位置を示すｙ座標ｙ１を第１ｙ座標として、上辺位置を示すｙ座標ｙ２を第２ｙ座標として、それぞれ取得する。
また、ｘ座標取得部５６は、該矩形領域の左辺位置を示すｘ座標ｘ１を第１ｘ座標として、右辺位置を示すｘ座標ｘ２を第２ｘ座標として、それぞれ取得する。
【０１１７】
閾値記憶部５７は、後述する判断部５８による判断動作の基準となる閾値が予め記憶される記憶部であり、本実施例では、高さ閾値「ｈ」、及び幅差閾値「δｗ」が記憶されている。
なお、本実施例では、傷病名欄３０の記載が５行以内とされる規定に基づいて、フォームにおける傷病名欄を５行に等分割した分割傷病名欄の行高さを、高さ閾値として採用するが、これに限定されない。例えば、レセプトにおける記号番号欄３１（図２）に印字された文字の高さを検出し、該高さを高さ閾値として採用することも可能である。
【０１１８】
判断部５８は、座標取得部５４により取得された各座標及び閾値記憶部５７に記憶されている各閾値に基づいて、傷病名欄３０に記載された各文字が誤読が発生しやすい文字であるか否かを判断する機能を有する。
【０１１９】
装置書込部５９は、イメージ取得部１６により取得されたイメージと認識部２１による認識結果とを、記憶装置５３に書き込む機能を有する。
【０１２０】
装置制御部２４は、上記した各部を制御する機能を有する。
【０１２１】
修正用端末装置５２は、記憶装置１３に接続され、端末読出部６１、端末書込部６２、端末記憶部６３、表示部２７、入力部２８及びこれら各部を制御するための端末制御部６４を備えている。
【０１２２】
端末読出部６１は、記憶装置５３からフラグ情報が付加された認識結果、即ち修正対象のレセプトの傷病名欄３０に対する修正対象文字を含む認識結果及び対応するイメージを読み出す機能を有する。
【０１２３】
端末書込部６２は、修正対象文字に対して修正処理が実行された修正結果を、記憶装置５３に書き込む機能を有する。
【０１２４】
端末記憶部６３は、端末読出部６１により読み出されたデータや、入力部２８により入力されたデータ等を一時的に記憶する一時記憶部である。
【０１２５】
端末制御部６４は、上記した各部を制御する機能を有する。
【０１２６】
記憶装置５３は、専用線を介して文字認識装置５１及び修正用端末装置５２に接続され、レセプトのイメージ及び該レセプトの傷病名欄に対する認識結果を記憶するデータベースである。
【０１２７】
続いて、文字認識システム５０を利用してレセプトの傷病名欄３０に記載された文字を認識する処理の流れを、図を用いて説明する。
図９は、本発明に係る文字認識システムの実施例２における文字認識動作を示すフローチャートである。
【０１２８】
まず、図８（１）に示される傷病名欄３０−１を含むレセプトに対して文字認識処理を行う場合の流れについて、説明する。
【０１２９】
文字認識装置１１において、搬送部１４によりレセプトが搬送される（Ｓ１０１）と、装置制御部２４は、イメージ取得部１６を制御して、該レセプトのイメージを取得させる（Ｓ１０２）。取得されたイメージは、一時記憶部１７に記憶される。
【０１３０】
続いて、装置制御部６０は、座標取得部５４のｙ座標取得部５５を制御して、フォーム記憶部１５に記憶されたフォーム及び一時記憶部１７に記憶されたイメージを読み出させ、該フォームをイメージに当てはめて、イメージの傷病名欄３０−１の位置に記載された各文字の下辺位置を示すｙ座標を第１ｙ座標として取得させる（Ｓ１０３）。ここで、ｙ座標取得部５５による第１ｙ座標の取得は、各行毎に行われる。ｙ座標取得部５５は、傷病名欄３０−１の同一行に記載された複数の文字それぞれの下辺位置を示すｙ座標を、第１ｙ座標として取得する。取得された第１ｙ座標は、一時記憶部１７に記憶される。
【０１３１】
例えば、図８（１）に示される傷病名欄３０−１では、１行目に記載されている２つの文字「胃」、「炎」それぞれに対して、第１ｙ座標「ｙ１ａ」、「ｙ１ｂ」が取得される。
【０１３２】
次に、装置制御部６０は、ｙ座標取得部５５を制御して、各文字の上辺位置を示すｙ座標を第２ｙ座標として取得させる（Ｓ２０１）。取得された第２ｙ座標は、一時記憶部１７に記憶される。
【０１３３】
図８（１）に示される傷病名欄３０−１では、１行目に記載されている２つの文字「胃」、「炎」それぞれに対して、第２ｙ座標「ｙ２ａ」、「ｙ２ｂ」が取得される。
【０１３４】
続いて、装置制御部６０は、判断部５８を制御して、これらの文字が誤読が発生しやすい文字であるか否かの判断を行わせる。
【０１３５】
判断部５８は、まず、一時記憶部１７に記憶された各文字に対する第１ｙ座標及び第２ｙ座標を読み出して、それぞれの差、即ち各文字の高さを検出する（Ｓ２０２）。判断部５８は、「胃」及び「炎」の文字の高さ「ｈａ」及び「ｈｂ」を、「ｈａ＝ｙ２ａ−ｙ１ａ」及び「ｈｂ＝ｙ２ｂ−ｙ１ｂ」の計算式に基づいて検出する。検出された各文字の高さ「ｈａ」及び「ｈｂ」は、一時記憶部１７に記憶される。
【０１３６】
続いて、判断部５８は、一時記憶部１７から各文字の高さを読み出し、また、閾値記憶部５７から高さ閾値を読み出して、検出された高さ「ｈａ」及び「ｈｂ」の何れかが、読み出された高さ閾値「ｈ」を超えるか否かの判断を行う（Ｓ２０３）。
【０１３７】
図８（１）に示される傷病名欄３０−１では、傷病名の記載行数が５行以内となるべく文字高さの活字により印字されており、したがって、検出された高さ「ｈａ」及び「ｈｂ」は、高さ閾値「ｈ」以下となっている。そのため、判断部５８は、検出された高さが何れも高さ閾値以下であると判断する（Ｓ２０３）。
【０１３８】
続いて、装置制御部６０は、ｘ座標取得部５６を制御して、各文字の左辺位置を示すｘ座標を第１ｘ座標として取得させる（Ｓ２０４）。取得された第１ｘ座標は、一時記憶部１７に記憶される。
【０１３９】
図８（１）に示される傷病名欄３０−１では、１行目に記載される２つの文字「胃」、「炎」それぞれに対して、第１ｘ座標「ｘ１ａ」、「ｘ１ｂ」が取得される。
【０１４０】
更に、装置制御部６０は、ｘ座標取得部５６を制御して、各文字の右辺位置を示すｘ座標を第２ｘ座標として取得させる（Ｓ２０５）。取得された第２ｘ座標は、一時記憶部１７に記憶される。
【０１４１】
図８（１）に示される傷病名欄３０−１では、１行目に記載される２つの文字「胃」、「炎」それぞれに対して、第２ｘ座標「ｘ２ａ」、「ｘ２ｂ」が取得される。
【０１４２】
続いて、判断部５８は、一時記憶部１７に記憶された各文字に対する第１ｘ座標及び第２ｘ座標を読み出して、それぞれの差、即ち各文字の幅を検出する（Ｓ２０６）。判断部５８は、「胃」及び「炎」の文字の幅「ｗａ」及び「ｗｂ」を、「ｗａ＝ｘ２ａ−ｘ１ａ」及び「ｗｂ＝ｘ２ｂ−ｘ１ｂ」の計算式に基づいて検出する。検出された文字の幅「ｗａ」及び「ｗｂ」は、一時記憶部１７に記憶される。
【０１４３】
更に、判断部５８は、一時記憶部１７から各文字の幅を読み出して、これらに基づいて幅差を検出する（Ｓ２０７）。判断部５８は、各文字の幅「ｗａ」及び「ｗｂ」を読み出して、幅差「｜ｗａ−ｗｂ｜」検出する。
【０１４４】
そして、判断部５８は、閾値記憶部５７から幅差閾値「δｗ」を読み出して、検出された幅差「｜ｗａ−ｗｂ｜」が読み出された幅差「δｗ」を超えるか否かの判断を行う（Ｓ２０８）。
【０１４５】
図８（１）に示される傷病名欄３０−１では、傷病名は活字により印字されており、それぞれの文字の幅「ｗａ」及び「ｗｂ」はほぼ同じ値となっている。そのため、幅差「｜ｗａ−ｗｂ｜」は非常に小さな値となり、幅差閾値「δｗ」以下であると判断される（Ｓ２０８）。
【０１４６】
次に、判断部５８は、一時記憶部１７に記憶された各文字に対する第１ｘ座標及び第２ｘ座標を読み出して、これらに基づいて各文字の文字間隔を検出する（Ｓ２０９）。判断部５８は、「胃」及び「炎」の文字間隔「ｐ１」を、「ｐ１＝ｘ１ｂ−ｘ２ａ」の計算式に基づいて検出する。
【０１４７】
そして、判断部５８は、検出された文字間隔「ｐ１」が０であるか否かを判断する（Ｓ２１０）。
【０１４８】
判断部５８により文字間隔が０でないと判断される（Ｓ２１０）と、これらの文字は誤読されない文字であると判断される。
【０１４９】
そして、装置制御部６０は、認識部２１にこれらの文字に対する認識処理を行わせる（Ｓ１０６）。認識部２１による認識結果は、一時記憶部１７に記憶される。
【０１５０】
続いて、装置制御部６０は、傷病名欄３０−１に次の行の記載があるか否かの判断を行う（Ｓ１０７）。次の行があると判断されると、該行に含まれる各文字に対する上記した各動作を繰り返す。
【０１５１】
次の行がないと判断される（Ｓ１０７）と、装置制御部６０は、装置書込部５９を制御して、一時記憶部１７に記憶されたレセプトのイメージ及び傷病名欄３０−１に記載されている各文字の認識結果を、記憶装置１３へ書き込ませて（Ｓ２１１）、文字認識システム５０は文字認識処理を終了する。
【０１５２】
上記のように、活字により印字されたレセプトの傷病名欄に対する文字認識処理が実行され、認識結果が記憶装置に書き込まれる。
【０１５３】
次に、図８（２）に示される傷病名欄３０−２を含むレセプトに対して文字認識処理を行う場合の流れについて、説明する。
傷病名欄３０−２には、図８（２）に示されるように、１行目及び２行目は活字により傷病名が印字され、３行目は手書文字により傷病名が記載されている。
【０１５４】
文字認識装置５１において、搬送部１４によりレセプトが搬送されて（Ｓ１０１）、から、傷病名欄３０−２の１行目及び２行目に対する文字認識処理が行われる（Ｓ１０６）までの処理は、図８（１）に示される傷病名欄３０−１を含むレセプトに対する文字認識処理の場合と同一なので、説明を省略する。
【０１５５】
認識部２１により２行目の文字の認識処理が行われ、認識結果が一時記憶部１７に記憶される（Ｓ１０６）と、続いて、装置制御部６０は、傷病名欄３０−２に次の行、即ち３行目の記載があるか否かの判断を行う（Ｓ１０７）。３行目があると判断されるので、続いて、装置制御部６０は、ｙ座標取得部５５による第１ｙ座標の取得を行わせる（Ｓ１０３）。
【０１５６】
ｙ座標取得部５５は、図８（２）に示される傷病名欄３０−２に手書文字により記載されている３つの文字「胃」、「潰」、「瘍」それぞれに対して、第１ｙ座標「ｙ１ｃ」、「ｙ１ｄ」、「ｙ１ｅ」を取得する（Ｓ１０３）。取得された第１ｙ座標は、一時記憶部１７に記憶される。
【０１５７】
続いて、装置制御部６０は、ｙ座標取得部５５を制御して、各文字それぞれに対して、第２ｙ座標を取得させる（Ｓ２０１）。ｙ座標取得部５５は、「胃」、「潰」、「瘍」それぞれに対して、第２ｙ座標「ｙ２ｃ」、「ｙ２ｄ」、「ｙ２ｅ」を取得する（Ｓ２０１）。取得された第２ｙ座標は、一時記憶部１７に記憶される。
【０１５８】
続いて、装置制御部６０は、判断部５８を制御して、これらの文字が誤読が発生しやすい文字であるか否かの判断を行わせる。
【０１５９】
判断部５８は、まず、一時記憶部１７に記憶された各文字に対応する第１ｙ座標及び第２ｙ座標を読み出して、それぞれの差、即ち各文字の高さを検出する（Ｓ２０２）。判断部５８は、「胃」、「潰」、「瘍」それぞれの文字の高さ「ｈｃ」、「ｈｄ」、「ｈｅ」を、「ｈｃ＝ｙ２ｃ−ｙ１ｃ」、「ｈｄ＝ｙ２ｄ−ｙ１ｄ」、「ｈｅ＝ｙ２ｅ−ｙ１ｅ」の計算式に基づいて検出する。検出された文字の高さ「ｈｃ」、「ｈｄ」、「ｈｅ」は、一時記憶部１７に記憶される。
【０１６０】
続いて、判断部５８は、一時記憶部１７から文字の高さを読み出し、また、閾値記憶部５７から高さ閾値を読み出して、検出された高さ「ｈｃ」、「ｈｄ」、「ｈｅ」の何れかが、読み出された高さ閾値「ｈ」を超えるか否かの判断を行う（Ｓ２０３）。
【０１６１】
図８（２）に示される傷病名欄３０−２では、３行目は手書文字により記載されており、それぞれの文字の高さには偏りがみられる。そして、例えば「瘍」の文字の高さ「ｈｅ」は、高さ閾値「ｈ」を超えている。そのため、判断部５８は、これらの文字は誤読が発生しやすい文字であると判断する（Ｓ２０３）。
【０１６２】
続いて、装置制御部６０は、認識部２１にこれらの文字に対する認識処理を行わせる（Ｓ１１０）。認識部２１による認識結果は、修正対象文字として一時記憶部１７に記憶される。
【０１６３】
更に、装置制御部６０は、付加処理部２２に、修正対象文字であることを示すフラグ情報を、一時記憶部１７に記憶された修正対象文字に付加させる（Ｓ１１１）。
【０１６４】
そして、装置制御部６０は、傷病名欄３０−２に次の行の記載があるか否かの判断を行う（Ｓ１１２）。次の行がないと判断される（Ｓ１１２）と、装置制御部６０は、装置書込部５９を制御して、一時記憶部１７に記憶された該レセプトのイメージ及び傷病名欄３０−２に記載されている文字の修正対象文字を含む認識結果を、記憶装置１３へ書き込ませて（Ｓ２１２）、文字認識システム５０は文字認識処理を終了する。
【０１６５】
上記のように、レセプトの傷病名欄における文字認識処理において、手書文字により規定の行高さを超える文字高さで記載された文字が修正対象文字であると判断され、フラグ情報が付加された認識結果が記憶装置へ書き込まれる。
【０１６６】
次に、図８（３）に示される傷病名欄３０−３を含むレセプトに対して文字認識処理を行う場合の流れについて、説明する。
傷病名欄３０−３には、図８（３）に示されるように、１行目及び２行目は活字により傷病名が印字され、３行目は手書文字により傷病名が記載されている。
【０１６７】
文字認識装置５１において、搬送部１４によりレセプトが搬送されて（Ｓ１０１）から、傷病名欄３０−３の１行目及び２行目に対する文字認識処理が行われる（Ｓ１０６）までの処理は、図８（１）及び図８（２）に示される傷病名欄３０−１、３０−２を含む各レセプトの場合と同一なので、説明を省略する。
【０１６８】
認識部２１により２行目の文字の認識処理が行われ、認識結果が一時記憶部１７に記憶される（Ｓ１０６）と、続いて、装置制御部６０は、傷病名欄３０−３に次の行、即ち３行目の記載があるか否かの判断を行う（Ｓ１０７）。３行目があると判断されると、続いて、装置制御部６０は、ｙ座標取得部５５による第１ｙ座標の取得を行わせる（Ｓ１０３）。
【０１６９】
ｙ座標取得部５５は、図８（３）に示される傷病名欄３０−３の３行目に手書文字により記載されている３つの文字「胃」、「潰」、「瘍」それぞれに対して、第１ｙ座標「ｙ１ｆ」、「ｙ１ｇ」、「ｙ１ｈ」を取得する（Ｓ１０３）。取得された第１ｙ座標は、一時記憶部１７に記憶される。
【０１７０】
続いて、装置制御部６０は、ｙ座標取得部５５を制御して、各文字それぞれに対して、第２ｙ座標を取得させる（Ｓ２０１）。ｙ座標取得部５５は、「胃」、「潰」、「瘍」それぞれに対して、第２ｙ座標「ｙ２ｆ」、「ｙ２ｇ」、「ｙ２ｈ」を取得する（Ｓ２０１）。取得された第２ｙ座標は、一時記憶部１７に記憶される。
【０１７１】
続いて、装置制御部６０は、判断部５８を制御して、これらの文字が誤読が発生しやすい文字であるか否かの判断を行わせる。
【０１７２】
判断部５８は、まず、一時記憶部１７に記憶された第１ｙ座標及び第２ｙ座標を読み出して、それぞれの差、即ち各文字の高さを検出し（Ｓ２０２）、更に閾値記憶部５７から高さ閾値「ｈ」を読み出して、検出された各文字の高さの何れかが、読み出された高さ閾値「ｈ」を超えるか否かの判断を行う（Ｓ２０３）。
【０１７３】
図８（３）に示される傷病名欄３０−３では、３行目に記載されている各文字の高さは、１行目及び２行目の活字の高さとほぼ同じであり、所定の高さ閾値「ｈ」以下となっている。そのため、判断部５８は、各文字の高さは高さ閾値「ｈ」以下であると判断する（Ｓ２０３）。
【０１７４】
続いて、装置制御部６０は、ｘ座標取得部５６を制御して、各文字「胃」、「潰」、「瘍」の左辺位置を示すｘ座標を第１ｘ座標「ｘ１ｆ」、「ｘ１ｇ」、「ｘ１ｈ」として取得させる（Ｓ２０４）。取得された第１ｘ座標は、一時記憶部１７に記憶される。
【０１７５】
更に、装置制御部６０は、ｘ座標取得部５６を制御して、各文字「胃」、「潰」、「瘍」の右辺位置を示すｘ座標を第２ｘ座標「ｘ２ｆ」、「ｘ２ｇ」、「ｘ２ｈ」として取得させる（Ｓ２０５）。取得された第２ｘ座標は、一時記憶部１７に記憶される。
【０１７６】
続いて、判断部５８は、一時記憶部１７に記憶された各文字「胃」、「潰」、「瘍」に対する第１ｘ座標「ｘ１ｆ」、「ｘ１ｇ」、「ｘ１ｈ」及び第２ｘ座標「ｘ２ｆ」、「ｘ２ｇ」、「ｘ２ｈ」を読み出して、それぞれの差、即ち各文字の幅「ｗｆ」、「ｗｇ」、「ｗｈ」を、「ｗｆ＝ｘ２ｆ−ｘ１ｆ」、「ｗｇ＝ｘ２ｇ−ｘ１ｇ」、「ｗｈ＝ｘ２ｈ−ｘ１ｈ」の各計算式に基づいて検出する（Ｓ２０６）。
【０１７７】
更に、判断部５８は、各文字の幅「ｗｆ」、「ｗｇ」、「ｗｈ」に基づいて、３つの幅差「｜ｗｆ―ｗｇ｜」、「｜ｗｇ―ｗｈ｜」及び「｜ｗｈ―ｗｆ｜」を検出する（Ｓ２０７）。
【０１７８】
そして、判断部５８は、閾値記憶部５７から幅差閾値「δｗ」を読み出して、検出された３つの幅差「｜ｗｆ−ｗｇ｜」、「｜ｗｇ−ｗｈ｜」、「｜ｗｈ−ｗｆ｜」が読み出された幅差「δｗ」を超えるか否かの判断を行う（Ｓ２０８）。
【０１７９】
図８（３）に示される傷病名欄３０−３では、３行目に手書文字で記載される「胃」、「潰」、「瘍」の３つの文字は、幅にばらつきがみられる。そのため、３つの幅差の中何れかが、幅差閾値「δｗ」を超えると判断される（Ｓ２０８）。
【０１８０】
続いて、装置制御部６０は、認識部２１にこれらの文字に対する認識処理を行わせる（Ｓ１１０）。認識部２１による認識結果は、修正対象文字として一時記憶部１７に記憶される。
【０１８１】
更に、装置制御部６０は、付加処理部２２に、修正対象文字であることを示すフラグ情報を、一時記憶部１７に記憶された修正対象文字に付加させる（Ｓ１１１）。
【０１８２】
そして、装置制御部６０は、傷病名欄３０−３に次の行の記載があるか否かの判断を行う（Ｓ１１２）。次の行がないと判断される（Ｓ１１２）と、装置制御部６０は、装置書込部５９を制御して、一時記憶部１７に記憶された該レセプトのイメージ及び傷病名欄３０−３に記載されている各文字に対する修正対象文字を含む認識結果を、記憶装置１３へ書き込ませて（Ｓ２１２）、文字認識システム５０は文字認識処理を終了する。
【０１８３】
上記のように、レセプトの傷病名欄における文字認識処理において、手書文字により記載された複数の文字の各文字幅が、所定の幅差閾値を超えるばらつきを有する場合、これらの手書文字は修正対象文字であると判断され、フラグ情報が付加されて、記憶装置へ書き込まれる。
【０１８４】
更に、図８（４）に示される傷病名欄３０−４を含むレセプトに対して文字認識処理を行う場合の流れについて、説明する。
【０１８５】
文字認識装置５１において、搬送部１４によりレセプトが搬送されて（Ｓ１０１）から、傷病名欄３０−４の１行目及び２行目に対する文字認識処理が行われる（Ｓ１０６）までの処理は、図８（１）〜（３）に示される傷病名欄３０−１〜３を含む各レセプトの場合と同一なので、説明を省略する。
【０１８６】
認識部２１により２行目の文字の認識処理が行われ、認識結果が一時記憶部１７に記憶される（Ｓ１０６）と、続いて、装置制御部６０は、傷病名欄３０−４に次の行、即ち３行目の記載があるか否かの判断を行う（Ｓ１０７）。３行目があると判断されるので、続いて、装置制御部６０は、ｙ座標取得部５５による第１ｙ座標の取得を行わせる（Ｓ１０３）。
【０１８７】
ｙ座標取得部５５は、図８（４）に示される傷病名欄３０−４の３行目に手書文字により記載されている３つの文字「胃」、「潰」、「瘍」それぞれに対して、第１ｙ座標「ｙ１ｉ」、「ｙ１ｊ」、「ｙ１ｋ」を取得する（Ｓ１０３）。取得された第１ｙ座標は、一時記憶部１７に記憶される。
【０１８８】
続いて、装置制御部６０は、ｙ座標取得部５５を制御して、各文字それぞれに対して、第２ｙ座標を取得させる（Ｓ２０１）。ｙ座標取得部５５は、「胃」、「潰」、「瘍」それぞれに対して、第２ｙ座標「ｙ２ｉ」、「ｙ２ｊ」、「ｙ２ｋ」を取得する（Ｓ２０１）。取得された第２ｙ座標は、一時記憶部１７に記憶される。
【０１８９】
続いて、装置制御部６０は、判断部５８を制御して、これらの文字が誤読が発生しやすい文字であるか否かの判断を行わせる。
【０１９０】
判断部５８は、まず、一時記憶部１７に記憶された第１ｙ座標及び第２ｙ座標を読み出して、それぞれの差、即ち各文字の高さを検出し（Ｓ２０２）、更に閾値記憶部５７から高さ閾値「ｈ」を読み出して、検出された各文字の高さの何れかが、読み出された高さ閾値「ｈ」を超えるか否かの判断を行う（Ｓ２０３）。
【０１９１】
図８（４）に示される傷病名欄３０−４では、３行目に記載されている各文字の高さは、１行目及び２行目の活字の高さとほぼ同じであり、所定の高さ閾値「ｈ」以下となっている。そのため、判断部５８は、各文字の高さは高さ閾値「ｈ」以下であると判断する（Ｓ２０３）。
【０１９２】
続いて、装置制御部６０は、ｘ座標取得部５６を制御して、各文字「胃」、「潰」、「瘍」それぞれの左辺位置を示すｘ座標を第１ｘ座標「ｘ１ｉ」、「ｘ１ｊ」、「ｘ１ｋ」として取得させる（Ｓ２０４）。取得された第１ｘ座標は、一時記憶部１７に記憶される。
【０１９３】
更に、装置制御部６０は、ｘ座標取得部５６を制御して、各文字「胃」、「潰」、「瘍」それぞれの右辺位置を示すｘ座標を第２ｘ座標「ｘ２ｉ」、「ｘ２ｊ」、「ｘ２ｋ」として取得させる（Ｓ２０５）。取得された第２ｘ座標は、一時記憶部１７に記憶される。
【０１９４】
続いて、判断部５８は、一時記憶部１７に記憶された各文字「胃」、「潰」、「瘍」に対する第１ｘ座標「ｘ１ｉ」、「ｘ１ｊ」、「ｘ１ｋ」及び第２ｘ座標「ｘ２ｉ」、「ｘ２ｊ」、「ｘ２ｋ」を読み出して、それぞれの差、即ち各文字の幅を検出する（Ｓ２０６）。
【０１９５】
更に、判断部５８は、各文字の幅に基づいて、３つの幅差を検出する（Ｓ２０７）。
【０１９６】
そして、判断部５８は、閾値記憶部５７から幅差閾値「δｗ」を読み出して、検出された３つの幅差が読み出された幅差「δｗ」を超えるか否かの判断を行う（Ｓ２０８）。
【０１９７】
図８（４）に示される傷病名欄３０−４では、３行目に手書文字で記載される「胃」、「潰」、「瘍」の３つの文字は、ほぼ同じ幅で記載されているため、これらの幅差は何れも非常に小さく、幅差閾値「δｗ」以下であると判断される（Ｓ２０８）。
【０１９８】
次に、判断部５８は、一時記憶部１７に記憶された各文字「胃」、「潰」、「瘍」に対する第１ｘ座標「ｘ１ｉ」、「ｘ１ｊ」、「ｘ１ｋ」及び第２ｘ座標「ｘ２ｉ」、「ｘ２ｊ」、「ｘ２ｋ」を読み出して、これらに基づいて各文字の文字間隔「ｐｉ＝ｘ１ｊ−ｘ２ｉ」及び「ｐｊ＝ｘ１ｋ−ｘ２ｊ」を検出する（Ｓ２０９）。
【０１９９】
そして、判断部５８は、検出された文字間隔「ｐｉ」及び「ｐｊ」が０であるか否かを判断する（Ｓ２１０）。
【０２００】
図８（４）に示される傷病名欄３０−４では、３行目に手書文字で記載される「胃」、「潰」、「瘍」の中「潰」の第２ｘ座標「ｘ２ｊ」と「瘍」の第１ｘ座標「ｘ１ｋ」とが同一となっており、即ちこれらの文字間隔「ｐｊ」が０と検出される。このため、判断部５８は、検出された文字間隔「ｐｊ」が０であると判断する（Ｓ２１０）。
【０２０１】
続いて、装置制御部６０は、認識部２１にこれらの文字に対する認識処理を行わせる（Ｓ１１０）。認識部２１による認識結果は、修正対象文字として一時記憶部１７に記憶される。
【０２０２】
更に、装置制御部６０は、付加処理部２２に、修正対象文字であることを示すフラグ情報を、一時記憶部１７に記憶された修正対象文字に付加させる（Ｓ１１１）。
【０２０３】
そして、装置制御部６０は、傷病名欄３０−４に次の行の記載があるか否かの判断を行う（Ｓ１１２）。次の行がないと判断される（Ｓ１１２）と、装置制御部６０は、装置書込部５９を制御して、一時記憶部１７に記憶された該レセプトのイメージ及び傷病名欄３０−４に記載されている文字の修正対象文字を含む認識結果を、記憶装置１３へ書き込ませて（Ｓ２１２）、文字認識システム５０は文字認識処理を終了する。
【０２０４】
上記のように、レセプトの傷病名欄における文字認識処理において、手書文字により記載された複数の文字の文字間隔が０である場合、これらの文字は修正対象文字であると判断され、フラグ情報が付加されて、記憶装置へ書き込まれる。
【０２０５】
続いて、文字認識システム５０を利用してレセプトの傷病名欄３０に記載された文字の認識結果を修正する処理の流れを、図を用いて説明する。
図１０は、本発明に係る文字認識システムの実施例２における修正動作を示すフローチャートである。
【０２０６】
修正用端末装置５２において、端末制御部６０が、端末読出部６１を制御して、記憶装置５３を参照し、フラグ情報が付加された修正対象のレセプトのイメージと、該イメージに対応する修正対象文字を含む認識結果とを読み出して、端末記憶部６３に記憶させる（Ｓ２１３）。
【０２０７】
そして、端末制御部６０は、表示部２７を制御して、端末記憶部６３に記憶された修正対象のレセプトのイメージ及び修正対象文字を含む認識結果を表示するための修正画面３３（図６）を表示させる（Ｓ１１５）。
【０２０８】
修正画面３３において、オペレータが入力部２８を操作して、修正対象文字を修正した修正文字を入力すると、端末制御部６４は、端末記憶部２６に記憶された認識結果において、修正対象文字を入力された修正文字に書き換えて、修正結果を記憶させる（Ｓ１１６）。
【０２０９】
そして、端末制御部６４は、端末書込部６２を制御して、修正結果を記憶装置５３の対応する認識結果の部分に上書きさせて（Ｓ２１４）、文字認識システム５０は修正処理を終了する。
【０２１０】
上記のように、修正用端末装置によって、修正対象のレセプトのイメージ及び修正対象文字を含む認識結果が、フラグ情報に基づいて記憶装置から読み出され、修正処理が実行された後、該認識結果が修正結果に書き換えられる。
【０２１１】
なお、図中省略したが、Ｓ２１１において、各レセプトの傷病名欄３０の各行に記載された文字に対する認識結果に、フラグ情報が付加された修正対象文字が含まれる場合、装置書込部５９は、Ｓ２１２の動作と同様に、該修正対象文字を含む認識結果を、記憶装置１３へ書き込む。
【０２１２】
以上のように、本実施例の文字認識システムは、レセプトの傷病名欄において、同一行に記載された各文字の高さ、幅、文字間隔を検出し、それらに基づいて修正対象文字か否かの判断が行われるので、誤読の発生が更に抑制される。そして、修正対象文字に対する修正処理が行われるので、認識精度が向上され、信頼性の高い統計データの提供が可能となる。
【０２１３】
なお、本実施例では、各文字の文字間隔が０である場合、それらの文字を修正対象文字と判断しているが、検出された複数の文字間隔それぞれの差を更に検出し、何れかの差が予め定められた間隔差閾値「δｐ」を超えるか否かにより判断を行うことも可能である。これにより、文字間隔にばらつきがみられる手書文字を修正対象文字と判断できるので、更に認識精度が向上される。
【実施例３】
【０２１４】
図１１は、本発明に係る文字認識システムの実施例３における構成を示すブロック図である。
本実施例における文字認識システム７０は、文字認識装置７１において座標取得部に代えて角度取得部７２を設ける構成が、実施例１及び２と異なる。
なお、本実施例において、実施例１或いは２と同様な構成及び動作を同一の符号で示し、これらについての説明を省略する。
【０２１５】
文字認識システム７０は、図１１に示されるように、文字認識装置７１、修正用端末装置１２及び記憶装置１３を備えている。
【０２１６】
文字認識装置７１は、搬送部１４、フォーム記憶部１５、イメージ取得部１６、一時記憶部１７、角度取得部７２、閾値記憶部７３、判断部７４、認識部２１、付加処理部２２、装置通信部２３及びこれら各部を制御するための装置制御部７５を備えている。
【０２１７】
角度取得部７２は、一時記憶部１７に記憶されたイメージに、フォーム記憶部１５に記憶されたフォームを当てはめて、傷病名欄に記載された複数の文字からなる文字列の傾き、即ちｘ軸方向からのずれの角度を取得する機能を有する。ここで、本実施例の角度取得部は、フォームにおいて傷病名欄を形成する下側罫線３５をｘ座標軸とみなすことにより、角度の取得を行うものとする。
【０２１８】
図１２は、レセプトの傷病名欄の印字例を示す説明図（その３）である。
図１２に示される傷病名欄３０−５には、１行目に「胃炎」と活字により印字され、２行目及び３行目には、スタンプにより「十二指腸潰瘍」及び「胃潰瘍」と印字されている。
【０２１９】
角度取得部７２は、傷病名欄３０の各行に記載された複数の文字からなる文字列の上辺位置或いは下辺位置を示す線分と、ｘ軸方向に平行な線分との間のずれの角度θ１、θ２及びθ３を取得する。
【０２２０】
閾値記憶部７３は、後述する判断部７４による判断動作の基準となる閾値が予め記憶される記憶部であり、本実施例では、角度閾値「θ」が記憶されている。
【０２２１】
判断部７４は、角度取得部７２により取得された各角度及び閾値記憶部７３に記憶されている角度閾値に基づいて、傷病名欄３０に記載された各文字が誤読が発生しやすい文字であるか否かを判断する機能を有する。
【０２２２】
装置制御部７５は、上記した各部を制御する機能を有する。
【０２２３】
続いて、文字認識システム７０を利用してレセプトの傷病名欄３０に記載された文字を認識する処理の流れを、図を用いて説明する。
図１３は、本発明に係る文字認識システムの実施例３における文字認識動作を示すフローチャートである。
【０２２４】
本実施例では、図１２に示される傷病名欄３０−５を含むレセプトに対して文字認識処理を行う場合の流れについて、説明する。
【０２２５】
文字認識装置７１において、搬送部１４によりレセプトが搬送される（Ｓ１０１）と、装置制御部７５は、イメージ取得部１６を制御して、該レセプトのイメージを取得させる（Ｓ１０２）。取得されたイメージは、一時記憶部１７に記憶される。
【０２２６】
続いて、装置制御部７５は、角度取得部７２を制御して、フォーム記憶部１５に記憶されたフォーム及び一時記憶部１７に記憶されたイメージを読み出させ、該フォームをイメージに当てはめて、イメージの傷病名欄３０−５の位置に記載された各文字の上辺位置とｘ軸方向とのずれの角度を取得させる（Ｓ３０１）。ここで、角度取得部７２による角度の取得は、行毎に行われる。角度取得部７２は、まず傷病名欄３０−５の１行目に記載された「胃炎」の文字列のｘ軸方向とのずれの角度「θ１」を取得する。取得された角度は、一時記憶部１７に記憶される。
【０２２７】
次に、装置制御部７５は、判断部７４を制御して、これらの文字が誤読が発生しやすい文字であるか否かの判断を行わせる。
【０２２８】
判断部７４は、一時記憶部１７に記憶された角度「θ１」及び閾値記憶部７３に記憶された角度閾値「θ」を読み出して、角度「θ１」が角度閾値「θ」を超えるか否かの判断を行う（Ｓ３０２）。
【０２２９】
図１２に示される傷病名欄３０−５では、１行目は活字により印字されており、ずれの角度「θ１」は非常に小さく、角度閾値「θ」以下であると判断される。
【０２３０】
判断部７４により、検出された角度「θ１」が角度閾値「θ」以下であると判断される（Ｓ３０２）と、これらの文字は誤読されない文字であると判断される。
【０２３１】
そして、装置制御部７５は、認識部２１に１行目の文字に対する認識処理を行わせる（Ｓ１０６）。認識部２１による認識結果は、一時記憶部１７に記憶される。
【０２３２】
続いて、装置制御部７５は、傷病名欄３０−５に次の行の記載があるか否かの判断を行う（Ｓ１０７）。図１２に示される傷病名欄３０−５には、２行目の記載が存在するので、装置制御部７５は、角度取得部７２を制御して、２行目に記載された「十二指腸潰瘍」の文字列のｘ軸方向とのずれの角度「θ２」を取得させる（Ｓ３０１）。取得された角度は、一時記憶部１７に記憶される。
【０２３３】
次に、装置制御部７５は、判断部７４を制御して、これらの文字が誤読が発生しやすい文字であるか否かの判断を行わせる。
【０２３４】
判断部７４は、一時記憶部１７に記憶された角度「θ２」及び閾値記憶部７３に記憶された角度閾値「θ」を読み出して、角度「θ２」が角度閾値「θ」を超えるか否かの判断を行う（Ｓ３０２）。
【０２３５】
図１２に示される傷病名欄３０−５では、２行目はスタンプにより印字されている。この２行目のスタンプ印字は、傷病名欄３０−５を形成する下側罫線３５、即ちｘ軸方向とほぼ平行に印字されているため、ずれの角度「θ２」は非常に小さく、角度閾値「θ」以下であると判断される。
【０２３６】
判断部７４により、検出された角度「θ２」が角度閾値「θ」以下であると判断される（Ｓ３０２）と、これらの文字は誤読されない文字であると判断される。
【０２３７】
そして、装置制御部７５は、認識部２１に２行目の文字に対する認識処理を行わせる（Ｓ１０６）。認識部２１による認識結果は、一時記憶部１７に記憶される。
【０２３８】
続いて、装置制御部７５は、傷病名欄３０−５に次の行の記載があるか否かの判断を行う（Ｓ１０７）。図１２に示される傷病名欄３０−５には、３行目の記載が存在するので、装置制御部７５は、角度取得部７２を制御して、３行目に記載された「胃潰瘍」の文字列のｘ軸方向とのずれの角度「θ３」を取得させる（Ｓ３０１）。取得された角度は、一時記憶部１７に記憶される。
【０２３９】
次に、装置制御部７５は、判断部７４を制御して、これらの文字が誤読が発生しやすい文字であるか否かの判断を行わせる。
【０２４０】
判断部７４は、一時記憶部１７に記憶された角度「θ３」及び閾値記憶部７３に記憶された角度閾値「θ」を読み出して、角度「θ３」が角度閾値「θ」を超えるか否かの判断を行う（Ｓ３０２）。
【０２４１】
図１２に示される傷病名欄３０−５では、３行目は２行目と同様に、スタンプにより印字されているが、２行目のスタンプ印字とは異なり、傾きが大きく、即ちｘ軸方向からののずれの角度「θ３」が大きくなっている。したがって、検出されたずれの角度「θ３」は、角度閾値「θ」を超えていると判断される。
【０２４２】
よって、判断部７４は、３行目の文字が誤読が発生しやすい文字であると判断する（Ｓ３０２）。
【０２４３】
そして、装置制御部７５は、認識部２１に３行目の文字に対する認識処理を行わせる（Ｓ１１０）。認識部２１による認識結果は、修正対象文字として一時記憶部１７に記憶される。
【０２４４】
続いて、装置制御部７５は、付加処理部２２に、修正対象文字であることを示すフラグ情報を、一時記憶部１７に記憶された修正対象文字に付加させる（Ｓ１１１）。
【０２４５】
そして、装置制御部７５は、傷病名欄３０−５に次の行の記載があるか否かの判断を行う（Ｓ１１２）。次の行がないと判断されると、装置制御部７５は、装置通信部２３を制御して、一時記憶部１７に記憶された該レセプトのイメージ及び傷病名欄３０−５に記載されている各文字の認識結果を、修正用端末装置１２へ送信させる（Ｓ１１３）。送信される認識結果には、修正対象文字が含まれている。なお、修正対象文字が含まれていない場合、装置通信部２３は、実施例１と同様に、該認識結果及びイメージを、記憶装置１３へ送信して記憶させる（Ｓ１０８、Ｓ１０９）。
【０２４６】
修正用端末装置１２において、端末通信部２５が該レセプトのイメージ及び認識結果を受信すると、端末制御部２９の制御により、端末記憶部２６がこれらを対応させて記憶し（Ｓ１１４）、文字認識システム７０は文字認識処理を終了する。
【０２４７】
なお、図中省略したが、Ｓ１０８において、各レセプトの傷病名欄３０の各行に記載された文字に対する認識結果に、フラグ情報が付加された修正対象文字が含まれる場合、Ｓ１０８は実行されずにＳ１１３の動作を行うべく、装置制御部７５は制御を行う。
【０２４８】
上記のように、レセプトの傷病名欄における文字認識処理において、スタンプにより印字された文字に対して、角度のずれを検出して、該角度に基づいて修正対象文字であるか否かの判断を行うので、スタンプ印字に対する誤読の発生が抑制され、更に認識精度が向上される。
【０２４９】
なお、文字認識システム７０による修正対象文字に対する修正処理については、実施例１と同一なので、説明を省略する。
【０２５０】
以上のように、本実施例の文字認識システムは、レセプトの傷病名欄において、スタンプにより印字された文字の傾きを検出して、該傾きに基づいて修正対象文字であるか否かの判断が行われるので、スタンプ印字に対する誤読の発生が抑制され、更に認識精度が向上される。
【図面の簡単な説明】
【０２５１】
【図１】本発明に係る文字認識システムの実施例１における構成を示すブロック図である。
【図２】レセプトの一例を示す説明図である。
【図３】レセプトの傷病名欄の印字例を示す説明図（その１）である。
【図４】本発明に係る文字認識システムの実施例１における文字認識動作を示すフローチャートである。
【図５】本発明に係る文字認識システムの実施例１における修正動作を示すフローチャートである。
【図６】修正画面の構成を示す説明図である。
【図７】本発明に係る文字認識システムの実施例２における構成を示すブロック図である。
【図８】レセプトの傷病名欄の印字例を示す説明図（その２）である。
【図９】本発明に係る文字認識システムの実施例２における文字認識動作を示すフローチャートである。
【図１０】本発明に係る文字認識システムの実施例２における修正動作を示すフローチャートである。
【図１１】本発明に係る文字認識システムの実施例３における構成を示すブロック図である。
【図１２】レセプトの傷病名欄の印字例を示す説明図（その３）である。
【図１３】本発明に係る文字認識システムの実施例３における文字認識動作を示すフローチャートである。
【符号の説明】
【０２５２】
１０  文字認識システム
１１  文字認識装置
１２  修正用端末装置
１３  記憶装置
１８  ｙ座標取得部
１９  閾値記憶部
２０  判断部
２１  認識部
２２  付加処理部
２３  装置通信部
２５  端末通信部
２７  表示部
２８  入力部
【図１】
2007272432.tif 000003
【図２】
2007272432.tif 000004
【図３】
2007272432.tif 000005
【図４】
2007272432.tif 000006
【図５】
2007272432.tif 000007
【図６】
2007272432.tif 000008
【図７】
2007272432.tif 000009
【図８】
2007272432.tif 000010
【図９】
2007272432.tif 000011
【図１０】
2007272432.tif 000012
【図１１】
2007272432.tif 000013
【図１２】
2007272432.tif 000014
【図１３】
2007272432.tif 000015